(57)【要約】【課題】柱強度を特に低下させることなく、スラブをプレキャストコンクリート柱で支持するフラットスラブ架構を構築しながら、下部コンクリート柱と上部コンクリート柱とスラブとを簡便に一体接合できるようにする。【解決手段】プレキャストコンクリート柱の上端側外周にスラブ１の下面側を受け止め可能な受け止め部６を一体に遠心成型してある下部コンクリート柱３を立設した後、その受け止め部で受け止められるスラブを上部コンクリート柱４の下端部を入り込ませる凹部７を設けるように形成し、プレキャストコンクリート柱で構成してある上部コンクリート柱を、その下端部を凹部に入り込ませて、下部コンクリート柱の上部に立設し、凹部の内側と上部コンクリート柱の下端部との間に充填材９を充填して、上部コンクリート柱とスラブとを、充填材を介して互いに一体化する。【選択図】図１
2008063788.tif 000002
【特許請求の範囲】
【請求項１】
スラブを直接柱で支持するフラットスラブ架構の下部コンクリート柱とその上部に同芯状に立設される上部コンクリート柱との夫々を遠心成型してあるプレキャストコンクリート柱で構成して、前記スラブに貫通させる状態で、そのスラブに接合してある柱・床接合構造部の構築方法であって、
前記プレキャストコンクリート柱の上端側外周に、前記スラブの下面側を受け止め可能な受け止め部を一体に遠心成型してある下部コンクリート柱を使用して、その下部コンクリート柱を立設する下部コンクリート柱立設工程と、
前記受け止め部で受け止められるスラブを、前記上部コンクリート柱の下端部を入り込ませる凹部を設けるように形成するスラブ形成工程と、
前記上部コンクリート柱を、その下端部を前記凹部に入り込ませて、前記下部コンクリート柱の上部に立設する上部コンクリート柱立設工程と、
前記凹部の内側と前記上部コンクリート柱の下端部との間に充填材を充填して、前記上部コンクリート柱と前記スラブとを、前記充填材を介して互いに一体化する充填工程とを設けてある柱・床接合構造部の構築方法。
【発明の詳細な説明】
【技術分野】
【０００１】
本発明は、スラブを直接柱で支持するフラットスラブ架構の下部コンクリート柱とその上部に同芯状に立設される上部コンクリート柱との夫々を遠心成型してあるプレキャストコンクリート柱で構成して、前記スラブに貫通させる状態で、そのスラブに接合してある柱・床接合構造部の構築方法に関する。
【背景技術】
【０００２】
上記柱・床接合構造部の構築方法では、スラブをプレキャストコンクリート柱で支持するために、従来、鋼製キャピタルをプレキャストコンクリート柱に固定している。
この鋼製キャピタルのプレキャストコンクリート柱への固定方法は、プレキャストコンクリート柱の製造時に、鋼製リング部材をコンクリートに埋め込み固定しておいて、プレキャストコンクリート柱の外周面の一部を鋼板で形成し、この鋼製リング部材に鋼製キャピタルを溶接固定している。
尚、スラブをプレキャストコンクリート柱で支持するフラットスラブ架構に関する技術ではなく、床スラブを支持する鋼製梁をプレキャストコンクリート柱に固定する技術ではあるが、プレキャストコンクリート柱の製造時に、鋼製リング部材をコンクリートに埋め込み固定しておいて、プレキャストコンクリート柱の外周面の一部を鋼板で形成し、この鋼製リング部材に鋼製梁を溶接固定することが行われている（例えば、特許文献１参照）
【０００３】
【特許文献１】特開２００４−１９２５１号公報
【発明の開示】
【発明が解決しようとする課題】
【０００４】
従来の柱・床接合構造部の構築方法では、プレキャストコンクリート柱に埋め込み固定してある鋼製リング部材に、鋼製キャピタルを溶接固定しているので、溶接時の熱でコンクリート部分が劣化して、柱強度が低下するおそれがある。
本発明は上記実情に鑑みてなされたものであって、柱強度を特に低下させることなく、スラブをプレキャストコンクリート柱で支持するフラットスラブ架構を構築しながら、下部コンクリート柱と上部コンクリート柱とスラブとを簡便に一体接合できるようにすることを目的とする。
【課題を解決するための手段】
【０００５】
本発明の第１特徴構成は、スラブを直接柱で支持するフラットスラブ架構の下部コンクリート柱とその上部に同芯状に立設される上部コンクリート柱との夫々を遠心成型してあるプレキャストコンクリート柱で構成して、前記スラブに貫通させる状態で、そのスラブに接合してある柱・床接合構造部の構築方法であって、
前記プレキャストコンクリート柱の上端側外周に、前記スラブの下面側を受け止め可能な受け止め部を一体に遠心成型してある下部コンクリート柱を使用して、その下部コンクリート柱を立設する下部コンクリート柱立設工程と、前記受け止め部で受け止められるスラブを、前記上部コンクリート柱の下端部を入り込ませる凹部を設けるように形成するスラブ形成工程と、前記上部コンクリート柱を、その下端部を前記凹部に入り込ませて、前記下部コンクリート柱の上部に立設する上部コンクリート柱立設工程と、前記凹部の内側と前記上部コンクリート柱の下端部との間に充填材を充填して、前記上部コンクリート柱と前記スラブとを、前記充填材を介して互いに一体化する充填工程とを設けてある点にある。
【０００６】
〔作用及び効果〕
鋼製キャピタルをプレキャストコンクリート柱に溶接固定してある下部コンクリート柱を使用することなく、下部コンクリート柱立設工程において、プレキャストコンクリート柱の上端側外周に、スラブの下面側を受け止め可能な受け止め部を一体に遠心成型してある下部コンクリート柱を使用して、その下部コンクリート柱を立設できる。
そして、スラブ形成工程において、受け止め部で受け止められるスラブを、上部コンクリート柱の下端部を入り込ませる凹部を設けるように形成し、上部コンクリート柱立設工程において、上部コンクリート柱を、その下端部を凹部に入り込ませて、下部コンクリート柱の上部に立設するので、下部コンクリート柱の上端部を特に加工しておくことなく、下部コンクリート柱の上端部に上部コンクリート柱の下端部を同芯状に位置決めし易い。
次に、充填工程において、凹部の内側と上部コンクリート柱の下端部との間に充填材を充填して、上部コンクリート柱とスラブとを、充填材を介して互いに一体化するので、凹部を特に精度良く形成することなく、上部コンクリート柱とスラブとを一体化することができる。
従って、柱強度を特に低下させることなく、スラブをプレキャストコンクリート柱で支持するフラットスラブ架構を構築しながら、下部コンクリート柱と上部コンクリート柱とスラブとを簡便に一体接合できる。
【発明を実施するための最良の形態】
【０００７】
以下に本発明の実施の形態を図面に基づいて説明する。
図１は、床スラブを直接柱で支持するフラットスラブ架構おいて、本発明による構築方法で構築してある柱・床接合構造部を示し、上下の床１，２を鉄筋コンクリート製のスラブで構成するとともに、上側のスラブ１を支持する下部コンクリート柱３とその上部に同芯状に立設される上部コンクリート柱４との夫々を、遠心成型してある円柱状のプレキャストコンクリート柱で構成して、スラブ１に貫通させる状態で、そのスラブ１に一体接合してある。
【０００８】
前記下部コンクリート柱３と上部コンクリート柱４とを構成しているプレキャストコンクリート柱は、工場において予め製造したもので、柱周方向で複数の柱主鉄筋と、柱長手方向で複数の環状補強鉄筋と、柱長手方向の端面を形成する鋼製の蓋体５とを円筒状の型枠の内部にセットして、型枠とともに柱軸芯周りで回転させながらコンクリートを打設することにより遠心成型してあり、その遠心成型時に、プレキャストコンクリート柱の上端側外周に、スラブの下面側を受け止め可能な環状の鉄筋コンクリート製の受け止め部６を一体に遠心成型してある。
【０００９】
前記柱・床接合構造部の構築方法を、工程順に、下部コンクリート柱立設工程と、スラブ形成工程と、上部コンクリート柱立設工程とを説明する。
【００１０】
前記下部コンクリート柱立設工程では、図２に示すように、下部コンクリート柱３として前述の受け止め部６を一体に遠心成型してあるプレキャストコンクリート柱を使用して、下部コンクリート柱３を下層階の床２に立設する。
尚、この下部コンクリート柱３も、以下に述べる上部コンクリート柱４と同様の方法で、その下側のプレキャストコンクリート製柱１０の上部に同芯状に立設してある。
【００１１】
前記スラブ形成工程では、受け止め部６の下面と同じ高さに沿って型枠を設置して、スラブ用鉄筋を配筋するとともに、下部コンクリート柱３の上端側に例えば円筒状の型枠を同芯状に設置して、コンクリートを打設することにより、図３に示すように、受け止め部６で受け止められるスラブ１を、上部コンクリート柱４の下端部を入り込ませる上向きに開口する凹部７を設けるように、下部コンクリート柱３と一体に構築する。
【００１２】
前記上部コンクリート柱立設工程では、図４に示すように、上部コンクリート柱４として前述の受け止め部６を一体に遠心成型してあるプレキャストコンクリート柱を使用して、上部コンクリート柱４を、その下端部を凹部７に入り込ませて、下部コンクリート柱３の上部に同芯状に立設する。
【００１３】
前記充填工程では、凹部７の内側と上部コンクリート柱４の下端部との隙間８に、図１に示すように、グラウト材などの充填材９を充填して、上部コンクリート柱４とスラブ１とを、充填材９を介して互いに一体化する。
【００１４】
〔その他の実施形態〕
１．本発明による柱・床接合構造部の構築方法は、スラブをその下面が受け止め部の上面と同じ高さ位置になるように構築しても良い。
２．本発明による柱・床接合構造部の構築方法は、スラブをその下面が受け止め部の上面と下面との間の高さ位置になるように構築しても良い。
３．本発明による柱・床接合構造部の構築方法は、受け止め部を、その上端面がプレキャストコンクリート柱の上端面と面一になるように、プレキャストコンクリート柱の上端側外周に一体に遠心成型してある下部コンクリート柱を使用しても良い。
【図面の簡単な説明】
【００１５】
【図１】柱・床接合構造部の側面図
【図２】柱・床接合構造部の構築方法の説明図
【図３】柱・床接合構造部の構築方法の説明図
【図４】柱・床接合構造部の構築方法の説明図
【符号の説明】
【００１６】
１  スラブ
２  スラブ
３  下部コンクリート柱（プレキャストコンクリート柱）
４  上部コンクリート柱（プレキャストコンクリート柱）
６  受け止め部
７  凹部
９  充填材
【図１】
2008063788.tif 000003
【図２】
2008063788.tif 000004
【図３】
2008063788.tif 000005
【図４】
2008063788.tif 000006